(57)【特許請求の範囲】
【請求項１】
化粧料収容部を有する下部容器本体、前記下部容器本体とねじ係合される、化粧用具収容部を有する上部容器本体、および、前記上部容器本体に開閉可能に取り付けられた蓋から構成される化粧料容器であって、
前記下部容器本体は、前記化粧料収容部の開口部に第１ねじ係合部が形成され、
前記上部容器本体は、底部によって、前記化粧用具収容部と、前記第１ねじ係合部とねじ係合する第２ねじ係合部とに上下に分割され、前記第２ねじ係合部および前記化粧料収容部を形成する側面には切欠き部が設けられており、前記切欠き部によって前記第２ねじ係合部の一部が欠損しており、
前記蓋には、前記蓋が前記上部容器本体を閉じた時に、前記切欠き部に上方から挿入される挿入部が形成され、前記挿入部の内側面には、前記第２ねじ係合部の欠損箇所を埋める第３ねじ係合部が形成されており、
前記上部容器本体の第２ねじ係合部が前記下部容器本体の第１ねじ係合部とねじ係合されると、前記上部容器本体は前記下部容器本体に固定され、前記蓋の挿入部の第３ねじ係合部も、前記第２ねじ係合部と共に前記第１ねじ係合部と係合され、前記蓋および前記上部容器本体は、前記下部容器本体に固定され、
前記蓋の挿入部の内側面には、前記第３ねじ係合部の上方に、垂直方向に延伸する少なくとも１つのリブが形成されていることを特徴とする化粧料容器。
【請求項２】
前記蓋は、ヒンジ係合によって前記上部容器本体に開閉可能に取り付けられていることを特徴とする請求項１に記載の化粧料容器。
【請求項３】
前記切欠き部および前記挿入部は、下方に向かって幅が狭くなる形状を有することを特徴とする請求項１または２に記載の化粧料容器。
【発明の詳細な説明】
【技術分野】
【０００１】
本発明は、化粧料および化粧用具を収容する化粧料容器に関する。
【背景技術】
【０００２】
ファンデーションのような化粧料を収容する容器において、化粧用具を同時に収容する際に、化粧料の上あるいは中蓋の上に化粧用具を載せて１つの収容部に収容する容器（特許文献１，２）、あるいは、化粧料収容部と化粧用具収容部を別々に設けて化粧料と化粧用具とを個別に収容する容器が存在する。
【０００３】
衛生面などを考慮すると、化粧料と化粧用具とを個別に収容する容器が好ましく、様々な形態の容器が用いられている。例えば、容器本体を隣接する複数の収容部に分けて各収容部に化粧料と化粧用具を個別に収容する容器、上下に２つの収容部を設けて化粧料と化粧用具とを個別に収容する２段構造の容器（特許文献３，４）などが用いられている。
【先行技術文献】
【特許文献】
【０００４】
【特許文献１】特開２００２−１２５７５０号公報
【特許文献２】特開２００８−１２５８４２号公報
【特許文献３】特開平９−７５１２９号公報
【特許文献４】特開平８−５２０２７号公報
【発明の概要】
【発明が解決しようとする課題】
【０００５】
容器本体を隣接する複数の収容部に分ける構造の容器の場合は、蓋を開けると化粧料および化粧用具の両方を取り出すことができるが、上下に２つの収容部を設けて化粧料と化粧用具とを個別に収容する構造の容器の場合、容器の構造が複雑になるとともに、２つの収容部を開閉する動作をそれぞれ行う必要があり、開閉動作が煩雑となるという問題があった。
【０００６】
そこで、本発明は上下に２つの収容部を設けて化粧料と化粧用具とを個別に収容する容器の問題を解決するために、簡単な動作で化粧料の収容部と化粧用具の収容部を開閉することができる化粧料容器を提供することを目的とする。
【課題を解決するための手段】
【０００７】
本発明の化粧料容器は、化粧料収容部を有する下部容器本体、前記下部容器本体とねじ係合される、化粧用具収容部を有する上部容器本体、および、前記上部容器本体に開閉可能に取り付けられた蓋から構成される化粧料容器であって、前記下部容器本体は、前記化粧料収容部の開口部に第１ねじ係合部が形成され、前記上部容器本体は、底部によって、前記化粧用具収容部と、前記第１ねじ係合部とねじ係合する第２ねじ係合部とに上下に分割されており、前記第２ねじ係合部および前記化粧料収容部を形成する側面には切欠き部が設けられており、前記切欠き部によって前記第２ねじ係合部の一部が欠損しており、前記蓋には、前記蓋が前記上部容器本体を閉じた時に、前記切欠き部に上方から挿入される挿入部が形成され、前記挿入部の内側面には、前記第２ねじ係合部の欠損箇所を埋める第３ねじ係合部が形成されており、前記上部容器本体の第２ねじ係合部が前記下部容器本体の第１ねじ係合部とねじ係合されると、前記上部容器本体は前記下部容器本体に固定され、前記蓋の挿入部の第３ねじ係合部も、前記第２ねじ係合部と共に前記第１ねじ係合部と係合され、前記蓋および前記上部容器本体は、前記下部容器本体に固定されることを特徴とする。
【０００８】
前記蓋は、ヒンジ係合によって前記上部容器本体に開閉可能に取り付けられている。
【０００９】
前記蓋の挿入部の内側面には、前記第３ねじ係合部の上方に、垂直方向に延伸する少なくとも１つのリブが形成されている。
【００１０】
前記切欠き部および前記挿入部は、下方に向かって幅が狭くなる形状を有している。
【発明の効果】
【００１１】
本発明の化粧料容器は、化粧料収容部を有する下部容器本体、前記下部容器本体とねじ係合される、化粧用具収容部を有する上部容器本体、および、前記上部容器本体に開閉可能に取り付けられた蓋から構成される化粧料容器であって、前記下部容器本体は、前記化粧料収容部の開口部に第１ねじ係合部が形成され、前記上部容器本体は、底部によって、前記化粧用具収容部と、前記第１ねじ係合部とねじ係合する第２ねじ係合部とに上下に分割されており、前記第２ねじ係合部および前記化粧料収容部を形成する側面には切欠き部が設けられており、前記切欠き部によって前記第２ねじ係合部の一部が欠損しており、前記蓋には、前記蓋が前記上部容器本体を閉じた時に、前記切欠き部に上方から挿入される挿入部が形成され、前記挿入部の内側面には、前記第２ねじ係合部の欠損箇所を埋める第３ねじ係合部が形成されており、前記上部容器本体の第２ねじ係合部が前記下部容器本体の第１ねじ係合部とねじ係合されると、前記上部容器本体は前記下部容器本体に固定され、前記蓋の挿入部の第３ねじ係合部も、前記第２ねじ係合部と共に前記第１ねじ係合部と係合され、前記蓋および前記上部容器本体は、前記下部容器本体に固定されることにより、前記上部容器本体と前記下部容器本体とのねじ係合を解除すると、前記蓋が開き、前記上部容器本体が前記下部容器本体から取り外すことができ、１つの動作で前記化粧用具収容部と前記化粧料収容部とを開くことができるようになる。
【００１２】
前記蓋の挿入部の内側面には、前記第３ねじ係合部の上方に、垂直方向に延伸する少なくとも１つのリブが形成されており、前記蓋を閉じた時に前記上部容器本体の底部に前記リブの下端が当接することで、前記上部容器本体を前記下部容器本体へと上から押さえ付けて、前記蓋、前記上部容器本体および前記下部容器本体を強固に固定することができる。
【００１３】
前記切欠き部および前記挿入部は、下方に向かって幅が狭くなる形状を有していることにより、前記切欠き部にスムーズに前記挿入部を挿入することができる。
【図面の簡単な説明】
【００１４】
【図１】本発明の化粧料容器の蓋を閉じた状態の斜視図である。
【図２】下部容器本体から上部容器本体を取り外し、蓋を開いて、化粧料収容部および化粧用具収容部を開放した状態の化粧料容器の斜視図である。
【図３】下部容器本体から上部容器本体を取り外して化粧料収容部だけを開放し、蓋は閉じた状態の化粧料容器の斜視図である。
【図４】蓋を閉じた状態の上部容器本体の断面図である。
【図５】蓋を閉じた状態の化粧料容器の断面図である。
【発明を実施するための形態】
【００１５】
本発明の化粧料容器１について、図を用いて以下に詳細に説明する。図１に示すのが、本発明の化粧料容器１の斜視図であり、図２に示すのが、下部容器本体２から上部容器本体３を取り外し、蓋４を開いて、化粧料収容部５および化粧用具収容部８を開放した状態の化粧料容器１の斜視図である。
【００１６】
本発明の化粧料容器１は、図１，２に示すように、下部容器本体２、上部容器本体３、および、蓋４から構成され、前記下部容器本体２の上に前記上部容器本体３がねじ係合され、前記上部容器本体３に前記蓋４が開閉可能に取り付けられている。
【００１７】
前記下部容器本体２は、図２に示すように、略円筒形で、化粧料を収容する化粧料収容部５が設けられ、前記化粧料収容部５の開口部には円筒形の第１ねじ係合部６が形成されている。前記第１ねじ係合部６は、外周面に２つの第１ねじ山７が間隔を空けて形成されている。
【００１８】
前記上部容器本体３は、図４に示すように、底部１０によって、化粧用具を収容する化粧用具収容部８と、前述した前記下部容器本体２の前記第１ねじ係合部６とねじ係合する第２ねじ係合部９とに上下に分割されている。前記第２ねじ係合部９は略円筒形で内周面に２つの第２ねじ山１１が間隔を空けて形成され、図５に示すように、前記第２ねじ山１１が前記第１ねじ係合部６の第１ねじ山７とねじ係合する。
【００１９】
前記化粧用具収容部８は、化粧用具の形状及び大きさに合わせて、平面形状が、２つの直線と２つの半円とから構成される角丸長方形となるように形成されており、側面の一部（半円の片方の部分）が、前記第２ねじ係合部９の側面と上下に段差なく連続して形成されており、残りの側面は前記第２ねじ係合部９の側面とは段差を有する形状となっている。前記化粧用具収容部８の形状は本実施形態に限定するものではなく、第２ねじ係合部９と同様に円筒形状とすることも可能であり、他の形状を用いることも可能である。
【００２０】
前記第２ねじ係合部９および前記化粧用具収容部８を形成する上下に連続した側面の部分に、図２に示すように、垂直方向に延伸する１つの切欠き部１２が形成されている。前記切欠き部１２によって前記第２ねじ係合部９の一部が欠損し、前記第２ねじ山１１は途中で切断された状態となっている。前記切欠き部１２は下方に向かって幅が狭くなる形状を有しているが、後述する挿入部１５を挿入することができれば、様々な形態を用いることができる。
【００２１】
前記蓋４を前記上部容器本体８に開閉可能に係合するために、図２に示すように、前記化粧料収容部８に第１ヒンジ係合部１３を設けている。そして、前記蓋４には、図２に示すように、前記第１ヒンジ係合部１３と係合する第２ヒンジ係合部１４を設ける。
【００２２】
前記蓋４は、図２に示すように、前記第１ヒンジ係合部１３および前記第２ヒンジ係合部１４によって前記上部容器本体３にヒンジ係合されており、これにより、前記上部容器本体３の化粧用具収容部８を開閉することができる。前記蓋４と前記上部容器本体３との係合は、ヒンジ係合に限定するものではなく、前記蓋４が前記上部容器本体３を開閉可能であればよく、前記上部容器本体３と着脱可能な構造も可能である。例えば、複数のフック係合を用いて、前記蓋４を開けた時に、完全に前記上部容器本体３から取り外す構造を用いることも可能である。
【００２３】
さらに、前記蓋４は、図２，４に示すように、前記切欠き部１２に上方から挿入される１つの挿入部１５が垂直方向に設けられている。前記挿入部１５は、前記切欠き部１２に合わせて下方に向かって幅が狭くなる形状を有している。前記挿入部１５は、個数、形状、位置等は限定するものではなく、前記切欠き部１２に合わせて、様々な形態を用いることができる。前記挿入部１５の内側面には、図２に示すように、前記第２ねじ係合部９の欠損箇所を埋める第３ねじ係合部である第３ねじ山１６が形成されている。
【００２４】
前記蓋４を閉じると、前記挿入部１５は、図３に示すように、前記上部容器本体３の切欠き部１２に挿入され、前記第３ねじ係合部が前記第２ねじ係合部９の欠損箇所を補填する。そして、前記第３ねじ係合部である第３ねじ山１６が、前記第２ねじ係合部９の第２ねじ山１１の切断された箇所を埋めて、図４に示すように、前記第２ねじ山１１と前記第３ねじ山１６は連続した１つのねじ山となる。前記挿入部１５は、前記上部容器本体３の切欠き部１２に挿入されることで、前記化粧用具収容部８の側壁の一部を構成することになる。
【００２５】
前記挿入部１５の内側面には、図４に示すように、前記第３ねじ係合部から上方に、垂直方向に延伸する２つのリブ１７が形成されている。前記蓋４を閉じて前記挿入部１５を前記上部容器本体３の切欠き部１２に挿入した時に、前記リブ１７の下端は、前記上部容器本体３の底部１０の表面と当接し、前記リブ１７が前記底部１０を上から押さえ付けることになる。これにより、図５に示すように、前記蓋４、前記上部容器本体３および前記下部容器本体２を固定した際に、前記上部容器本体３を前記下部容器本体２へと上から押さえ付けることで、前記蓋４と前記上部容器本体３とのがたつきを抑えて強固に固定することができる。前記リブ１７の個数は、少なくとも１つあればよく、２つ以上とすることも可能である。
【００２６】
次に、本発明の化粧料容器１の開閉動作について説明する。図１に示しているのが、前記化粧料容器１において、前記蓋４を閉じて前記蓋４および前記上部容器本体３を前記下部容器本体２に固定した状態であり、前記蓋４によって前記化粧用具収容部８が閉じられ、前記上部容器本体３によって前記化粧料収容部５が閉じられている。
【００２７】
この時、図５に示すように、前記第１ねじ係合部６の第１ねじ山７は、前記第２ねじ係合部９の第２ねじ山１１および前記第３ねじ係合部である第３ねじ山１６とねじ係合している。その結果、前記上部容器本体３が前記下部容器本体２に固定され、前記蓋４が前記上部容器本体３および前記下部容器本体２に固定された状態となっている。この時、前記第３ねじ山１６が前記第１ねじ山７とねじ係合して固定されているために、前記蓋４を開けることはできない。
【００２８】
このような状態で、前記蓋４を開けるためには、前記上部容器本体３と前記下部容器本体２とのねじ係合を解除しなければならない。そのために、前記上部容器本体３を前記下部容器本体２に対してねじ係合を解除する方向に前記上部容器本体３を回動させ上方に引き上げると、前記第１ねじ係合部６と、前記第２ねじ係合部９および前記第３ねじ係合部とのねじ係合が解除され、２つの前記第１ねじ山７の間に、前記第２ねじ山１１および前記第３ねじ山１６が移動し、前記第２上部容器本体３が上方に移動されて、図３に示すように、前記上部容器本体３は前記下部容器本体２から取り外され、前記化粧料収容部５だけが開放された状態となる。
【００２９】
この時、図３に示すように、前記蓋４は、前記上部容器本体３を閉じた状態であるが、前記蓋４の第３ねじ係合部は、前記第１ねじ係合部６とのねじ係合が解除されていることから、前記蓋４は簡単に開くことができ、前記蓋４を開けると、図２に示すように、前記上部容器本体３の化粧用具収容部８が開放された状態となる。
【００３０】
このように、前記化粧料収容部５および前記化粧用具収容部８が開放された状態になると、前記化粧用具収容部８から化粧用具を取り出し、前記化粧料収容部５の化粧料を使用することができるようになる。この時、一時的（簡易的）に前記蓋４によって前記上部容器本体３を閉じることは可能であり、化粧料の詰め替え動作等を行う場合には、図３に示すように、前記蓋４を閉じた状態で前記上部容器本体３を置いておくことも可能である。
【００３１】
続いて、前記化粧料収容部５および前記化粧用具収容部８を閉じる動作について説明する。先ずは、前記蓋４を閉じる。前記蓋４を閉じると、図３に示すように、前記蓋４の挿入部１５は、前記上部容器本体３の切欠き部１２に挿入される。すると、図４に示すように、前記蓋４の第３ねじ係合部が前記上部容器本体３の第２ねじ係合部９の欠損部分を埋めて、前記第３ねじ係合部である第３ねじ山１６が、前記第２ねじ山１１の切断箇所に挿入され、連続した１つのねじ山を形成することで、前記第２ねじ係合部９と前記第３ねじ係合部とが１つのねじ係合部として機能する状態となり、前記化粧用具収容部８を閉じた状態となる。
【００３２】
このように前記蓋４を閉じた状態で、前記上部容器本体３を、上記下部容器本体２に上から押しつけながら回動させる。すると、前記上部容器本体３の第２ねじ山１１と前記蓋４の第３ねじ山１６は、２つの前記第１ねじ山７の間に来た時に下方へと移動し、前記第２ねじ山１１および前記第３ねじ山１６は、前記第１ねじ山７とねじ係合する。これにより、前記上部容器本体３の第２ねじ係合部９が前記下部容器本体２の第１ねじ係合部６とがねじ係合し、同時に、前記第２ねじ係合部９と１つのねじ係合部を形成している前記第３ねじ係合部も前記第１ねじ係合部６とねじ係合する。その結果、前記上部容器本体３は前記下部容器本体２に固定され、前記蓋４も前記上部容器本体３および前記下部容器本体２に固定されて開けることができなくなり、前記化粧料収容部５が閉じられる。
【００３３】
本発明の化粧料容器１は、前記蓋４を先に閉じておけば、前記上部容器本体３を前記下部容器本体２にねじ係合させる１つの動作だけで、前記蓋４および前記上部容器本体３を、前記下部容器本体２に固定することができるようになり、簡単にそして確実に固定することが可能である。
【００３４】
ただし、前記化粧料容器１は、前記蓋４を閉じない状態で、前記上部容器本体３を前記下部容器本体２にねじ係合させて固定すると、後から前記蓋４を閉じることはできなくなる。
【符号の説明】
【００３５】
１    化粧料容器
２    下部容器本体
３    上部容器本体
４    蓋
５    化粧料収容部
６    第１ねじ係合部
７    第１ねじ山
８    化粧用具収容部
９    第２ねじ係合部
１０  底部
１１  第２ねじ山
１２  切欠き部
１３  第１ヒンジ係合部
１４  第２ヒンジ係合部
１５  挿入部
１６  第３ねじ山
１７  リブ
【図１】
0006639150.tif 000002
【図２】
0006639150.tif 000003
【図３】
0006639150.tif 000004
【図４】
0006639150.tif 000005
【図５】
0006639150.tif 000006